(57)【要約】    【課題】  生体に極力優しく、また、尖鋭部を貫通孔に押し込みやすく、また、係合部材が破損しにくく、しかも、先端部材と係合部材との係合が簡単には解かれない動物用タグを提供する。    【解決手段】  第１タブ20は、先端部材40を有し、第２タブ50は、係合部材70を有する。先端部材40及び係合部材70は、硬質のプラスチック材料で形成される。先端部材40は、固定部41と嵌合部42と尖鋭部43とを有し、尖鋭部43と嵌合部42との間には、段差部44を有する。係合部材70の中心に、貫通孔71を設けるとともに、貫通孔71の内周面から外方へ向かって、かつ、貫通孔71の中心から見て放射状に、複数の溝72を設ける。溝72と溝72との間の部分である係止片75を、挿入口73側から突き抜け口74側へ向けて傾斜させる。尖鋭部43を挿入口73から貫通孔71に押し込んで突き抜け口74から突出させると、段差部44と各係止片75の先端77とが係合する。    【選択図】  図１
2005065598.tif 000002
【特許請求の範囲】
【請求項１】
平板状の第１タブと、この第１タブの一端付近から第１タブに対してほぼ垂直に突出する軸部と、この軸部の先端に固定されている錐状の先端部材と、平板状の第２タブと、この第２タブの一端付近から第２タブに対してほぼ垂直に突出する円筒状の筒部と、この筒部の内部に固定されている環状の係合部材とを有し、
第１タブ及び第２タブは、軟質のプラスチック材料を用いて形成され、
第１タブ及び第２タブのうち少なくとも一方の表面には、識別標識が形成され、
先端部材及び係合部材は、硬質のプラスチック材料を用いて形成され、
先端部材は、その一端に、軸部との一体成型により軸部に固定される固定部を有し、この固定部の先端には、嵌合部を有し、この嵌合部の先端には、嵌合部側から先端方向へ向けて外径を次第に小さくする円錐状の尖鋭部を有し、
尖鋭部の嵌合部側端部の外径が嵌合部の尖鋭部側端部の外径よりも大きく形成されていることにより、尖鋭部と嵌合部との間には段差部が設けられ、
係合部材の中心には、尖鋭部の嵌合部側端部の外径よりも内径が小さい貫通孔が設けられているとともに、この貫通孔の内周面から外方へ向かって、かつ、貫通孔の中心から見て放射状に、複数の溝が設けられ、
貫通孔の一方側の開口部を、挿入口とし、他方側の開口部を、突き抜け口とし、各溝と溝との間を、それぞれ、先端部材を係止させるための係止片としたときに、
各係止片は、それぞれ、貫通孔の内方へ向けて突出し、かつ、挿入口側から突き抜け口側へ向けて傾斜し、
尖鋭部を挿入口から貫通孔に押し込んで突き抜け口から突出させ、貫通孔内に嵌合部を位置させると、段差部と各係止片の先端とが係合するように形成されていることを特徴とする動物用タグ。
【発明の詳細な説明】
【技術分野】
【０００１】
本発明は、動物の耳に取り付ける動物用タグに関するものである。
【背景技術】
【０００２】
従来から、動物用タグには、種々のものが提供されている。
例えば、平板状の２つのタブを備えた動物用タグが知られている。
ここで、一方のタブを第１タブとし、他方のタブを第２タブとして、この動物用タグについて更に詳しく説明する。
第１タブの所定位置には、第１タブに対してほぼ垂直に突出する軸部が設けられているとともに、この軸部の先端には、錐状の先端部材が固定されている。
また、第２タブの所定位置には、環状の係合部材が固定されている。
また、先端部材は、硬質のプラスチック材料を用いて形成され、一方、係合部材は、ステンレスなどの金属材料を用いて形成されている。
【０００３】
また、先端部材の先端は鋭く尖っており、これにより動物の耳を貫くことができるようになっている。
また、先端部材は、係合部材に係合可能に形成されている。
そして、この動物用タグの取り付けは、以下に示すようにして行われる。
まず、この動物用タグを所定のアプリケータ（取付装置）に装着する。そして、動物の耳の所定部位の表裏両側に先端部材と係合部材とをそれぞれ位置させ、この状態でアプリケータ（取付装置）を一気に操作する。そして、先端部材の先端で動物の耳を貫くと同時に、先端部材を係合部材に係合させる。そうすると、この動物用タグが動物の耳の所定部位に取り付けられるのである。
【特許文献１】特表２００１−５２５１８８号公報
【特許文献２】特公平３−７６８８９号公報
【特許文献３】特公平４−３１６５２号公報
【特許文献４】特公平６−９７９２４号公報
【特許文献５】特許第２６５１１２８号公報
【特許文献６】特開平５−３０８７４号公報
【発明の開示】
【発明が解決しようとする課題】
【０００４】
ところで、動物用タグは、動物の耳に長期にわたって取り付けられるため、生体に極力優しい材料で形成されることが好ましい。
そこで、本発明は、生体に極力優しく、また、尖鋭部を貫通孔に押し込みやすく、また、係合部材が破損しにくく、しかも、先端部材と係合部材との係合が簡単には解かれない動物用タグを提供することを課題とする。
【課題を解決するための手段】
【０００５】
上記課題に鑑み、本発明は、平板状の第１タブ（20）と、この第１タブ（20）の一端付近から第１タブ（20）に対してほぼ垂直に突出する軸部（30）と、この軸部（30）の先端に固定されている錐状の先端部材（40）と、平板状の第２タブ（50）と、この第２タブ（50）の一端付近から第２タブ（50）に対してほぼ垂直に突出する円筒状の筒部（60）と、この筒部（60）の内部に固定されている環状の係合部材（70）とを有し、第１タブ（20）及び第２タブ（50）は、軟質のプラスチック材料を用いて形成され、第１タブ（20）及び第２タブ（50）のうち少なくとも一方の表面には、識別標識（90）が形成され、先端部材（40）及び係合部材（70）は、硬質のプラスチック材料を用いて形成され、先端部材（40）は、その一端に、軸部（30）との一体成型により軸部（30）に固定される固定部（41）を有し、この固定部（41）の先端には、嵌合部（42）を有し、この嵌合部（42）の先端には、嵌合部（42）側から先端方向へ向けて外径を次第に小さくする円錐状の尖鋭部（43）を有し、尖鋭部（43）の嵌合部（42）側端部の外径が嵌合部（42）の尖鋭部（43）側端部の外径よりも大きく形成されていることにより、尖鋭部（43）と嵌合部（42）との間には段差部（44）が設けられ、係合部材（70）の中心には、尖鋭部（43）の嵌合部（42）側端部の外径よりも内径が小さい貫通孔（71）が設けられているとともに、この貫通孔（71）の内周面から外方へ向かって、かつ、貫通孔（71）の中心から見て放射状に、複数の溝（72）が設けられ、貫通孔（71）の一方側の開口部を、挿入口（73）とし、他方側の開口部を、突き抜け口（74）とし、各溝（72）と溝（72）との間を、それぞれ、先端部材（40）を係止させるための係止片（75）としたときに、各係止片（75）は、それぞれ、貫通孔（71）の内方へ向けて突出し、かつ、挿入口（73）側から突き抜け口（74）側へ向けて傾斜し、尖鋭部（43）を挿入口（73）から貫通孔（71）に押し込んで突き抜け口（74）から突出させ、貫通孔（71）内に嵌合部（42）を位置させると、段差部（44）と各係止片（75）の先端（77）とが係合するように形成されていることを特徴とする。
【０００６】
すなわち、本発明に係る動物用タグ（10）は、平板状の「第１タブ（20）」と「第２タブ（50）」とを備えている。
また、第１タブ（20）の一端付近には、第１タブ（20）に対してほぼ垂直に突出する「軸部（30）」が設けられている。
また、軸部（30）の先端には、錐状の「先端部材（40）」が固定されている。
また、「軸部（30）の先端」とは、軸部（30）の第１タブ（20）とは反対側の端部を意味する。
つまり、軸部（30）の一端は、第１タブ（20）に固定され、軸部（30）の他端には、先端部材（40）が固定されている。そして、先端部材（40）が固定されている方が、「軸部（30）の先端」である。
【０００７】
また、第２タブ（50）の一端付近には、第２タブ（50）に対してほぼ垂直に突出する円筒状の「筒部（60）」が設けられている。
また、筒部（60）の内部には、環状の「係合部材（70）」が固定されている。
また、第１タブ（20）及び第２タブ（50）は、「軟質のプラスチック材料」を用いて形成されている。
また、「軟質のプラスチック材料」としては、例えば、ポリウレタン、又はナイロンなどを用いることができる。
また、第１タブ（20）及び第２タブ（50）のうち少なくとも一方の表面には、「識別標識（90）」が形成されている。
【０００８】
また、「識別標識（90）」は、主として、動物の個体を識別するためのものである。例えば、文字、図形、記号、数字、バーコード、点字、突起、立体的形状、又はパンチ穴などを「識別標識（90）」とすることができる。
また、「識別標識（90）」は、例えば、第１タブ（20）の表面にのみ形成してもよく、また、第２タブ（50）の表面にのみ形成してもよく、また、第１タブ（20）及び第２タブ（50）の双方の表面に形成してもよい。
また、「識別標識（90）が形成され」としたのは、例えば、文字や図形や記号や数字やバーコードなどが印刷されること他に、点字や突起や立体的形状などが設けられたり、パンチ穴が開けられたりすることを含む趣旨である。
【０００９】
また、先端部材（40）及び係合部材（70）は、「硬質のプラスチック材料」を用いて形成されている。
また、「硬質のプラスチック材料」としては、例えば、ポリカーボネート、塩化ビニル、又はＡＢＳなどを用いることができる。
また、先端部材（40）は、「固定部（41）」と「嵌合部（42）」と「尖鋭部（43）」とを有している。
また、「固定部（41）」は、先端部材（40）の一端に設けられ、また、「嵌合部（42）」は、固定部（41）の先端に設けられ、また、「尖鋭部（43）」は、嵌合部（42）の先端に設けられている。
【００１０】
すなわち、先端部材（40）には、一端から先端へ向けて順に、「固定部（41）」「嵌合部（42）」及び「尖鋭部（43）」が設けられている。
また、「固定部（41）」は、軸部（30）との一体成型により軸部（30）に固定されている。
また、「尖鋭部（43）」は、嵌合部（42）側から先端方向へ向けて外径を次第に小さくする円錐状に形成されている。
また、「尖鋭部（43）の先端」は鋭く尖っており、これにより動物の耳を貫くことができるようになっている。
【００１１】
また、「尖鋭部（43）の嵌合部（42）側端部の外径」は、「嵌合部（42）の尖鋭部（43）側端部の外径」よりも大きく形成されている。これにより、尖鋭部（43）と嵌合部（42）との間には、「段差部（44）」が設けられている。
また、係合部材（70）の中心には、「貫通孔（71）」が設けられている。
また、「貫通孔（71）の内径」は、「尖鋭部（43）の嵌合部（42）側端部の外径」よりも小さく形成されている。
また、係合部材（70）には、貫通孔（71）の内周面から外方へ向かって、かつ、貫通孔（71）の中心から見て放射状に、「複数の溝（72）」が設けられている。つまり、「複数の溝（72）」は、貫通孔（71）の内周面から外方へ向かい、かつ、貫通孔（71）の中心から見て放射状に形成されている。
【００１２】
ここで、貫通孔（71）の一方側の開口部を、「挿入口（73）」とし、他方側の開口部を、「突き抜け口（74）」とし、各溝（72）と溝（72）との間を、それぞれ、「係止片（75）」とする。
先端部材（40）と係合部材（70）とを係合させる際には、挿入口（73）から貫通孔（71）に尖鋭部（43）が挿入され、また、貫通孔（71）に押し込まれた尖鋭部（43）は、突き抜け口（74）から突き抜ける。つまり、先端部材（40）と係合部材（70）とを係合させる際に、尖鋭部（43）が挿入される方の開口部が、挿入口（73）であり、また、尖鋭部（43）が突き抜ける方の開口部が、突き抜け口（74）である。
【００１３】
また、係止片（75）は、溝（72）と溝（72）との間の部分である。例えば、溝（72）が４本設けられれば、係止片（75）も４つになる。また、例えば、溝（72）が５本設けられれば、係止片（75）も５つになる。
また、係止片（75）は、先端部材（40）を係止させるためのものである。つまり、係止片（75）の先端（77）に、先端部材（40）の段差部（44）が引っ掛かって、先端部材（40）と係合部材（70）とが係合するのである。
更に、各係止片（75）は、それぞれ、貫通孔（71）の内方へ向けて突出し、かつ、挿入口（73）側から突き抜け口（74）側へ向けて傾斜している。
【００１４】
また、「各係止片（75）が挿入口（73）側から突き抜け口（74）側へ向けて傾斜する」とは、各係止片（75）の根元（76）が挿入口（73）側に位置し、かつ、各係止片（75）の先端（77）が突き抜け口（74）側に位置することを意味する。
そして、尖鋭部（43）を挿入口（73）から貫通孔（71）に押し込んで突き抜け口（74）から突出させ、貫通孔（71）内に嵌合部（42）を位置させると、段差部（44）と各係止片（75）の先端（76）とが係合する。
このように、本発明に係る動物用タグ（10）は、先端部材（40）及び係合部材（70）を硬質のプラスチック材料で形成している。このため、生体に極力優しいのである。
【００１５】
すなわち、先端部材（40）及び係合部材（70）は、動物の耳に接触しやすいところである。このため、これらを金属材料で形成すると、動物用タグ（10）が長期にわたって動物の耳に取り付けられている間に、金属が酸化したり溶け出したりして、生体に何らかの影響を及ぼすおそれがある。このため、本発明では、先端部材（40）及び係合部材（70）をプラスチック材料で形成して、生体に極力優くしているのである。
また、プラスチック材料には、軟質のものと硬質のものとがあるが、先端部材（40）及び係合部材（70）を軟質のプラスチック材料で形成すると、生体への影響のおそれは回避できても、今度は先端部材（40）や係合部材（70）が変形しやすくなって、先端部材（40）と係合部材（70）との係合が解かれやすくなってしまう。これでは、個体の識別標識としての機能を十分に発揮し得ない。このため、本発明では、先端部材（40）及び係合部材（70）を硬質のプラスチック材料で形成することにより、先端部材（40）や係合部材（70）を変形しにくくして、先端部材（40）と係合部材（70）との係合が解かれにくくしているのである。
【００１６】
更に、先端部材（40）及び係合部材（70）を硬質のプラスチック材料で形成すると、先端部材（40）や係合部材（70）が変形しにくくなることから、先端部材（40）と係合部材（70）との係合が解かれにくくなるものの、今度は尖鋭部（43）を貫通孔（71）に押し込みにくくなってしまう。また、尖鋭部（43）を貫通孔（71）に無理矢理押し込むと、係合部材（70）が欠けたり割れたりしてしまうおそれもある。
このため、本発明では、貫通孔（71）の内周面から外方へ向かって、かつ、貫通孔（71）の中心から見て放射状に、複数の溝（72）を設け、更には、各溝（72）と溝（72）との間の部分である各係止片（75）を、挿入口（73）側から突き抜け口（74）側へ向けて傾斜させている。
【００１７】
このように、各係止片（75）を、挿入口（73）側から突き抜け口（74）側へ向けて傾斜させると、尖鋭部（43）を貫通孔（71）に押し込む際に、各係止片（75）が、根元（76）を支点にし、先端（77）を外方へ傾けるようにして、たわむ。これにより、突き抜け口（74）が押し広げられるので、尖鋭部（43）を貫通孔（71）に押し込みやすくなる。また、各係止片（75）がたわむことから、係合部材（70）が欠けたり割れたりしにくい。更に、尖鋭部（43）が突き抜け口（74）を通過すると、各係止片（75）は、たわむ前の状態に戻る。これにより、突き抜け口（74）がすぼみ、係止片（75）の先端が段差部（44）に確実に引っ掛かる。
【００１８】
つまり、本発明では、各係止片（75）がバネとして機能する。このため、尖鋭部（43）を貫通孔（71）に押し込みやすく、また、係合部材（70）が欠けたり割れたりしにくく、更には、係止片（75）の先端が段差部（44）に確実に引っ掛かるのである。
【発明の効果】
【００１９】
上述したように、本発明によれば、生体に極力優しく、また、尖鋭部を貫通孔に押し込みやすく、更に、係合部材が破損しにくく、しかも、先端部材と係合部材との係合が簡単には解かれない動物用タグを提供できるのである。
【発明を実施するための最良の形態】
【００２０】
以下、本実施の形態に係る動物用タグについて説明する。
（図面の説明）
図１は、動物用タグ10の正面図、図２は、動物用タグ10の背面図、図３は、動物用タグ10の上面図、図４は、動物用タグ10の図２のＡ−Ａ線断面図、図５は、動物用タグ10の斜視図、図６は、係合部材70の正面図、図７は、係合部材70の背面図、図８は、係合部材70の図６のＢ−Ｂ線断面図、図９は、係合部材70の図６のＣ−Ｃ線断面図、図１０は、先端部材40及び係合部材70の斜視図（非係合状態）、図１１は、先端部材40及び係合部材70の斜視図（係合状態）、図１２は、動物用タグ10の要部断面図（非係合状態）、図１３は、動物用タグ10の要部断面図（係合状態）である。
【００２１】
（動物用タグ10）
図１ないし図５に示すように、本実施の形態に係る動物用タグ10は、平板状の第１タブ20と、この第１タブ20の一端付近から第１タブ20に対してほぼ垂直に突出する軸部30と、この軸部30の先端に固定されている錐状の先端部材40と、平板状の第２タブ50と、この第２タブ50の一端付近から第２タブ50に対してほぼ垂直に突出する円筒状の筒部60と、この筒部60の内部に固定されている環状の係合部材70とを有している。
（第１タブ20）
第１タブ20は、軟質のプラスチック材料を用いて、厚さ１ｍｍ程度の平板状に形成されている。また、軟質のプラスチック材料としては、ポリウレタンが用いられている。このため、第１タブ20は、可撓性を有している。
【００２２】
また、第１タブ20の表面のうち、軸部30が突出する面とは反対側の面には、識別標識90が形成されている。また、この識別標識90は、第１タブ20の表面に、文字や数字やバーコードなどを印刷することによって形成されている。
すなわち、第１タブ20の表面のうち、段差部44と係合部材70とを係合させた際に外側を向く面、言い換えれば、段差部44と係合部材70とを係合させた際に第２タブ50と向かい合う面とは反対側の面には、文字や数字やバーコードなどからなる識別標識90が形成されている。このため、第１タブ20の表面に形成されている識別標識90は、動物用タグ10を動物の耳に取り付けた際には、動物の耳とは反対側を向くのである。
【００２３】
（軸部30）
軸部30は、第１タブ20の一端付近から第１タブ20に対してほぼ垂直に突出している。また、軸部30は、円筒状に形成され、また、軸部30の中心には、軸孔31が設けられている。
また、軸部30は、第１タブ20と同じ軟質のプラスチック材料（ポリウレタン）を用いて、射出成型により、第１タブ20とともに一体成型されている。
（先端部材40）
先端部材40は、硬質のプラスチック材料を用いて、錐状に形成されている。また、硬質のプラスチック材料としては、ポリカーボネートが用いられている。
【００２４】
また、先端部材40は、軸部30の先端、すなわち、軸部30の第１タブ20とは反対側の端部に固定されている。
具体的には、先端部材40は、図１０ないし図１３に示すように、固定部41と嵌合部42と尖鋭部43とを有している。また、固定部41は、先端部材40の一端に設けられ、また、嵌合部42は、固定部41の先端に設けられ、また、尖鋭部43は、嵌合部42の先端に設けられている。すなわち、先端部材40には、一端から先端へ向けて順に、固定部41、嵌合部42及び尖鋭部43が設けられている。
また、固定部41は、軸部30との一体成型により軸部30に固定されている。具体的には、固定部41は、図１２及び図１３に示すように、インサート成型により、軸部30の先端付近に埋設されるようにして、軸部30に固定されている。
【００２５】
また、図１２及び図１３に示すように、固定部41の外周には、多数の窪み部45が設けられているとともに、この窪み部45内には、軸部30を構成する軟質のプラスチック材料（ポリウレタン）が入り込んでいる。このため、固定部41が軸部30から抜けないのである。
また、図１２及び図１３に示すように、固定部41の中心には、ピン孔46が設けられている。また、ピン孔46は、軸孔31と連通している。
なお、図示しないが、軸孔31及びピン孔46には、アプリケータ（取付装置）のピンが差し込まれる。
また、嵌合部42は、図１２及び図１３に示すように、固定部41側から尖鋭部43側へ向けて外径を次第に小さくする円錐状に形成されている。
【００２６】
また、尖鋭部43は、図１０ないし図１３に示すように、嵌合部42側から先端方向へ向けて外径を次第に小さくする円錐状に形成されている。
また、尖鋭部43の先端は鋭く尖っている。これにより、尖鋭部43の先端で動物の耳を貫くことができるようにしている。
また、図１２及び図１３に示すように、尖鋭部43の嵌合部42側端部の外径は、嵌合部42の尖鋭部43側端部の外径よりも大きく形成されている。これにより、尖鋭部43と嵌合部42との間には、段差部44が設けられている。
（第２タブ50）
第２タブ50は、第１タブ20と同様に、軟質のプラスチック材料を用いて、厚さ１ｍｍ程度の平板状に形成されている。また、軟質のプラスチック材料としては、ポリウレタンが用いられている。このため、第２タブ50も、第１タブ20と同様に可撓性を有している。
【００２７】
また、第２タブ50の表面のうち、筒部60が突出する面には、識別標識90が形成されている。また、この識別標識90は、第２タブ50の表面に、文字や数字を印刷することによって形成されている。
すなわち、第２タブ50の表面のうち、段差部44と係合部材70とを係合させた際に外側を向く面、言い換えれば、段差部44と係合部材70とを係合させた際に第１タブ20と向かい合う面とは反対側の面には、文字や数字などからなる識別標識90が形成されている。このため、第２タブ50の表面に形成されている識別標識90も、第１タブ20の表面に形成されている識別標識90と同様に、動物用タグ10を動物の耳に取り付けた際には、動物の耳とは反対側を向くようになっている。
【００２８】
（筒部60）
筒部60は、第２タブ50の一端付近から第２タブ50に対してほぼ垂直に突出している。また、筒部60は、円筒状に形成され、また、筒部60の中心には、尖鋭部43を収納するための収納部62が設けられている。また、筒部60の第２タブ50側の端部には、開口部61が設けられ、また、筒部60の第２タブ50とは反対側の端部には、筒部60を塞ぐカバー63が設けられている。
また、筒部60は、第２タブ50と同じ軟質のプラスチック材料（ポリウレタン）を用いて、射出成型により、第２タブ50とともに一体成型されている。
【００２９】
（係合部材70）
係合部材70は、硬質のプラスチック材料を用いて、環状に形成されている。
また、硬質のプラスチック材料としては、ポリカーボネートが用いられている。
また、係合部材70は、筒部60の内部の所定位置に固定されている。
具体的には、係合部材70は、インサート成型により、その外縁を筒部60の内部に埋設されるようにして、筒部60の内部における第２タブ50寄りの位置に固定されている。
また、図６ないし図１３に示すように、係合部材70の中心には、貫通孔71が設けられている。また、貫通孔71の中心は、筒部60の中心と一致している。
【００３０】
また、図６ないし図１３に示すように、係合部材70には、貫通孔71の内周面から外方へ向かって、かつ、貫通孔71の中心から見て放射状に、４本の溝72が設けられている。つまり、４本の溝72は、貫通孔71の内周面から外方へ向かい、かつ、貫通孔71の中心から見て放射状に形成されている。
ここで、図６ないし図１３に示すように、貫通孔71の開口部のうち、尖鋭部43が挿入される方の開口部を、「挿入口73」とし、また、尖鋭部43が突き抜ける方の開口部を、「突き抜け口74」とする。また、各溝72と溝72との間を、それぞれ、「係止片75」とする。
貫通孔71は、挿入口73側から突き抜け口74側へ向けて内径を次第に小さくする円錐状に形成されている。
【００３１】
また、貫通孔71の内径は、尖鋭部43の嵌合部42側端部の外径よりも小さく形成されている。より具体的には、貫通孔71の突き抜け口74の内径は、尖鋭部43の嵌合部42側端部の外径よりも小さく形成されている。
また、係止片75は、溝72と溝72との間の部分であって、先端部材40を係止させるためのものである。本実施の形態では、溝72が４本設けられていることから、係止片75は４つある。
また、各係止片75は、それぞれ、貫通孔71の内方へ向けて突出し、かつ、挿入口73側から突き抜け口74側へ向けて傾斜している。つまり、各係止片75の根元76が、挿入口73側に位置し、かつ、各係止片75の先端77が、突き抜け口74側に位置している。
【００３２】
また、本実施の形態では、係合部材70には、その外周面から外方へ向けて突出するフランジ部78が設けられている。また、フランジ部78は、係合部材70の外周面の全周にわたって設けられている。つまり、フランジ部78は、環状に形成されている。
また、本実施の形態では、フランジ部78と各係止片75の根元76との間には、挿入口73側が凸になるように屈曲した屈曲部79が設けられている。
（連結部80）
連結部80は、第１タブ20と第２タブ50とを連結するためのものである。
図１、図２及び図５に示すように、本実施の形態に係る動物用タグ10では、第１タブ20と第２タブ50とは、３つの連結部80で連結されている。
【００３３】
また、各連結部80は、動物の耳よりも切れやすい程度に脆弱とされている。
具体的には、各連結部80は、第１タブ20及び第２タブ50と同じ軟質のプラスチック材料（ポリウレタン）を用いて、射出成型により、第１タブ20及び第２タブ50とともに一体成型されている。また、各連結部80の肉厚は、第１タブ20や第２タブ50の肉厚よりも薄い０．３ｍｍ程度とされ、また、各連結部80の幅は、１．５ｍｍ程度とされている。これにより、連結部80は、動物の耳よりも切れやすい程度に脆弱とされている。
また、第１タブ20と第２タブ50とは、連結部80で切り離すことができるようになっている。
【００３４】
また、第２タブ50を静止させた状態で連結部80を中心に第１タブ20を回動させると、尖鋭部43が貫通孔71の中心線上に位置して、貫通孔71へ押し込み可能となる。
すなわち、連結部80を中心に折り畳むようにして第１タブ20と第２タブ50とを向かい合わせると、第１タブ20と第２タブ50とを切り離さなくても、尖鋭部43を貫通孔71へ押し込むことができるようになるのである。
（動物用タグ10の取り付け方法）
そして、この動物用タグ10の取り付けは、以下に示すようにして行われる。
図示しないが、まず、この動物用タグ10を所定のアプリケータ（取付装置）に装着する。そして、動物の耳の所定部位の表裏両側に先端部材40と係合部材70とをそれぞれ位置させ、この状態でアプリケータ（取付装置）を一気に操作する。そして、尖鋭部43の先端で動物の耳を貫くと同時に、尖鋭部43を貫通孔71に押し込むようにして挿通させて、貫通孔71内に嵌合部42を位置させる。そうすると、段差部44と各係止片75の先端とが係合し、尖鋭部43が貫通孔71から抜けなくなって、この動物用タグ10が動物の耳の所定部位に取り付けられる。
【００３５】
以上説明したように、本実施の形態に係る動物用タグ10は、先端部材40及び係合部材70を硬質のプラスチック材料で形成している。このため、生体に極力優しいのである。
すなわち、先端部材40及び係合部材70は、動物の耳に接触しやすいところであり、これらを金属材料で形成すると、動物用タグ10が長期にわたって動物の耳に取り付けられている間に、金属が酸化したり溶け出したりして、生体に何らかの影響を及ぼすおそれがある。このため、本実施の形態に係る動物用タグ10は、先端部材40及び係合部材70をプラスチック材料で形成することにより、生体に極力優くしているのである。
また、プラスチック材料には、軟質のものと硬質のものとがあるが、先端部材40及び係合部材70を軟質のプラスチック材料で形成すると、生体への影響のおそれは回避できても、今度は先端部材40や係合部材70が変形しやすくなって、先端部材40と係合部材70との係合が解かれやすくなってしまう。これでは、個体の識別標識としての機能を十分に発揮し得ない。このため、本実施の形態に係る動物用タグ10は、先端部材40及び係合部材70を硬質のプラスチック材料で形成することにより、先端部材40や係合部材70を変形しにくくして、先端部材40と係合部材70との係合が解かれにくくしているのである。
【００３６】
更に、先端部材40及び係合部材70を硬質のプラスチック材料で形成すると、先端部材40や係合部材70が変形しにくくなることから、先端部材40と係合部材70との係合が解かれにくくなるものの、今度は尖鋭部43を貫通孔71に押し込みにくくなってしまう。また、尖鋭部43を貫通孔71に無理矢理押し込むと、係合部材70が欠けたり割れたりしてしまうおそれもある。
このため、本実施の形態に係る動物用タグ10は、貫通孔71の内周面から外方へ向かって、かつ、貫通孔71の中心から見て放射状に、複数の溝72を設け、更には、各溝72と溝72との間の部分である各係止片75を、挿入口73側から突き抜け口74側へ向けて傾斜させている。
【００３７】
このように、各係止片75を、挿入口73側から突き抜け口74側へ向けて傾斜させると、尖鋭部43を貫通孔71に押し込む際に、各係止片75が、根元76を支点にし、先端77を外方へ傾けるようにして、たわむ。更に、本実施の形態では、フランジ部78と各係止片75の根元76との間に、挿入口73側が凸になるように屈曲した屈曲部79を設けている。このため、各係止片75の先端が、外方へ傾きやすくなっている。これにより、突き抜け口74が押し広げられるので、尖鋭部43を貫通孔71に押し込みやすくなる。また、各係止片75がたわむことから、係合部材70が欠けたり割れたりしにくい。更に、尖鋭部43が突き抜け口74を通過すると、各係止片75は、たわむ前の状態に戻る。これにより、突き抜け口74がすぼみ、係止片75の先端が段差部44に確実に引っ掛かる。
【００３８】
つまり、本実施の形態に係る動物用タグ10では、各係止片75がバネとして機能する。このため、尖鋭部43を貫通孔71に押し込みやすく、また、係合部材70が欠けたり割れたりしにくく、更には、係止片75の先端が段差部44に確実に引っ掛かるのである。
また、本実施の形態に係る動物用タグ10は、第１タブ20と第２タブ50とが脆弱な連結部80で切り離し可能に連結されている。このため、動物の耳に取り付ける前においては、第１タブ20又は第２タブ50のいずれか一方を紛失することがなく、また、動物の耳に取り付けた後においては、動物用タグ10が障害物に引っ掛かったときなどに動物の耳に傷をつけないのである。
【００３９】
すなわち、第１タブ20と第２タブ50とが分離されていると、動物の耳に取り付ける前に、第１タブ20又は第２タブ50のいずれか一方を紛失してしまうおそれがある。特に第１タブ20及び第２タブ50に同一の番号が付される場合にあっては、第１タブ20と第２タブ50とが分離されていると、どの第１タブ20とどの第２タブ50とがペアになるのかがわからなくなってしまう可能性がある。また、第１タブ20又は第２タブ50のいずれか一方を紛失してしまうと、残されたもう一方が使い物にならなくなってしまう。このため、本実施の形態に係る動物用タグ10は、第１タブ20と第２タブ50とを連結部80で連結することにより、動物の耳に取り付ける前においては、第１タブ20又は第２タブ50のいずれか一方を紛失することがないようにしているのである。
【００４０】
また、本実施の形態に係る動物用タグ10は、連結部80を脆弱にすることにより、動物の耳に取り付けた後においては、動物用タグ10が障害物に引っ掛かったときなどに、動物の耳よりも先に連結部80が切れるようにして、動物の耳に傷をつけないようにしているのである。
また、本実施の形態に係る動物用タグ10は、段差部44と係合部材70とを係合させた際に外側を向く面に識別標識90が形成されている。このため、動物の耳に取り付けた際に、識別標識90が見やすいのである。
また、本実施の形態に係る動物用タグ10は、段差部44と係合部材70とを係合させた際に、尖鋭部43が収納部62に収納されるとともに、尖鋭部43の先端がカバー63で覆われるようになっている。このため、尖鋭部43の先端によって、他の動物に傷をつけることがないのである。
【図面の簡単な説明】
【００４１】
【図１】本発明の実施の形態に係る動物用タグの正面図。
【図２】本発明の実施の形態に係る動物用タグの背面図。
【図３】本発明の実施の形態に係る動物用タグの上面図。
【図４】本発明の実施の形態に係る動物用タグの図２のＡ−Ａ線断面図。
【図５】本発明の実施の形態に係る動物用タグの斜視図。
【図６】本発明の実施の形態に係る係合部材の正面図。
【図７】本発明の実施の形態に係る係合部材の背面図。
【図８】本発明の実施の形態に係る係合部材の図６のＢ−Ｂ線断面図。
【図９】本発明の実施の形態に係る係合部材の図６のＣ−Ｃ線断面図。
【図１０】本発明の実施の形態に係る先端部材及び係合部材の斜視図（非係合状態）。
【図１１】本発明の実施の形態に係る先端部材及び係合部材の斜視図（係合状態）。
【図１２】本発明の実施の形態に係る動物用タグの要部断面図（非係合状態）。
【図１３】本発明の実施の形態に係る動物用タグの要部断面図（係合状態）。
【符号の説明】
【００４２】
10  動物用タグ                 20  第１タブ
30  軸部                       31  軸孔
40  先端部材                   41  固定部
42  嵌合部                     43  尖鋭部
44  段差部                     45  窪み部
46  ピン孔
50  第２タブ                   60  筒部
61  開口部                     62  収納部
63  カバー                     70  係合部材
71  貫通孔                     72  溝
73  挿入口                     74  突き抜け口
75  係止片                     76  根元
77  先端                       78  フランジ部
79  屈曲部
80  連結部                     90  識別標識
【図１】
2005065598.tif 000003
【図２】
2005065598.tif 000004
【図３】
2005065598.tif 000005
【図４】
2005065598.tif 000006
【図５】
2005065598.tif 000007
【図６】
2005065598.tif 000008
【図７】
2005065598.tif 000009
【図８】
2005065598.tif 000010
【図９】
2005065598.tif 000011
【図１０】
2005065598.tif 000012
【図１１】
2005065598.tif 000013
【図１２】
2005065598.tif 000014
【図１３】
2005065598.tif 000015